(57)【要約】【課題】コストアップやスペースデメリットを生ずることなく、ユーザが想定する部位に正しくピント合わせができるカメラを提供することである。【解決手段】この発明のカメラは、画面内の第１のポイントに存在する被写体からの光信号によって、ＣＰＵ３５にてピント合わせを行う。また、上記第１のポイントとは異なる画面内の第２のポイントは、モニタ１１に拡大表示される。【選択図】      図１
2005142660.tif 000002
【特許請求の範囲】
【請求項１】
画面内の第１のポイントに存在する被写体からの光信号によってピント合わせを行うピント合わせ手段と、
上記第１のポイントとは異なる画面内の第２のポイントを拡大表示する表示手段と、
を具備することを特徴とするカメラ。
【請求項２】
上記第２のポイントの拡大表示は、上記第１のポイントのピント合わせ結果に従ってピント合わせが行われた後に表示制御することを特徴とする請求項１に記載のカメラ。
【請求項３】
上記画面内の第２のポイントを選択する選択手段を更に具備することを特徴とする請求項１に記載のカメラ。
【請求項４】
上記ピント合わせ手段は、上記第１のポイントと、上記第２のポイントの距離の差に基づく情報によって、ピント合わせ制御を行うことを特徴とする請求項１に記載のカメラ。
【請求項５】
撮影に先立ってピント制御する際に画面の第１の部分を拡大表示するモニタ手段を有するカメラに於いて、
上記撮影の後には、上記第１の部分と異なる画面内の第２の部分を拡大表示する拡大表示部切り換え手段を具備することを特徴とするカメラ。
【請求項６】
被写体を撮像する撮像手段と、上記撮像手段で撮像された被写体像を表示する表示手段とを、を有するカメラに於いて、
画面内の第１のポイントに存在する上記被写体の像に基づいてピント合わせを行うピント合わせ手段と、
上記第１のポイントとは異なる画面内の第２のポイントに存在する上記被写体の像を拡大して上記表示手段に表示させる表示制御手段と、
を具備することを特徴とするカメラ。
【請求項７】
上記表示制御手段は、上記第１のポイントのピント合わせ結果に従ってピント合わせが行われた後に上記第２のポイントに存在する被写体の像を表示することを特徴とする請求項６に記載のカメラ。
【請求項８】
上記第２のポイントは複数設定が可能であり、該複数の第２のポイントの中ら上記表示手段に表示する像に対応した第２のポイントを選択する選択手段を更に具備することを特徴とする請求項６に記載のカメラ。
【請求項９】
上記第１のポイントと上記第２のポイントの距離の差に基づく情報によってピント合わせ制御を行うピント合わせ手段を更に具備することを特徴とする請求項６に記載のカメラ。
【請求項１０】
上記表示制御手段は、上記ピント合わせ手段が撮影に先立ってピント制御する際に画面の第１の部分を拡大表示し、上記撮影後に上記第１の部分と異なる画面内の第２の部分を拡大表示することを特徴とする請求項６に記載のカメラ。
【発明の詳細な説明】
【技術分野】
【０００１】
この発明は、撮影者が狙った被写体の重要部位に対して、正しくピントを合わせることができるカメラに関するものである。
【背景技術】
【０００２】
撮像手段を有する、いわゆるデジタルカメラに於いては、撮影画像等を表示する表示機能を具備したものが多い。そして、この表示機能を利用してピントの確認をするような提案は、多々知られている（例えば、特許文献１参照）。
【特許文献１】特開平１０−１９７９４１号公報。
【０００３】
しかし、この特許文献１に於いては、オートフォーカス技術との、より高度なコンビネーションについては触れられていなかった。
【発明の開示】
【発明が解決しようとする課題】
【０００４】
従来、オートフォーカス技術は、単純に画面内の中央部に対してピントを合わせる形で発達して来ているが、必ずしも画面内の中央部に主被写体が存在しているとは限らない。そこで、画面内の複数ポイントをモニタする、いわゆるマルチＡＦと称されるピント合わせ装置を搭載して、周辺部に被写体が存在してもピントが外れないカメラが提案され、商品化されている。
【０００５】
このようなマルチＡＦのカメラは、一般に、センサ部の複雑化によって、コストが上昇し、スペースが増大化するという副作用も有していた。
【０００６】
また、画面内の複数ポイントのうち、どのポイントにピント合わせするかについては、現在、決定的なものがなく、最も近い距離に存在するものを優先する提案や、所定の距離範囲にあるものを優先する提案がなされていた。
【０００７】
このような流れの一方で、より細かくピント合わせを調整したいという要求も強い。例えば、単に背景でなく、人物にピントを合わせたいというレベルから、人物の顔、それも眼の部分にぴったりとピントを合わせたいというユーザに対して、更なる工夫が求められていた。
【０００８】
この発明は上記実状に鑑みてなされたものであり、コストアップやスペースデメリットを生じることなく、ユーザが想定する部位に正しくピント合わせをすることができるカメラを提供することを目的とする。
【課題を解決するための手段】
【０００９】
すなわち、請求項１に記載の発明は、画面内の第１のポイントに存在する被写体からの光信号によってピント合わせを行うピント合わせ手段と、上記第１のポイントとは異なる画面内の第２のポイントを拡大表示する表示手段と、を具備することを特徴とする。
【００１０】
請求項２に記載の発明は、請求項１に記載の発明に於いて、上記第２のポイントの拡大表示は、上記第１のポイントのピント合わせ結果に従ってピント合わせが行われた後に表示制御することを特徴とする。
【００１１】
請求項３に記載の発明は、請求項１に記載の発明に於いて、上記画面内の第２のポイントを選択する選択手段を更に具備することを特徴とする。
【００１２】
請求項４に記載の発明は、請求項１に記載の発明に於いて、上記ピント合わせ手段は、上記第１のポイントと、上記第２のポイントの距離の差に基づく情報によって、ピント合わせ制御を行うことを特徴とする。
【００１３】
請求項５に記載の発明は、撮影に先立ってピント制御する際に画面の第１の部分を拡大表示するモニタ手段を有するカメラに於いて、上記撮影の後には、上記第１の部分と異なる画面内の第２の部分を拡大表示する拡大表示部切り換え手段を具備することを特徴とする。
【００１４】
請求項６に記載の発明は、被写体を撮像する撮像手段と、上記撮像手段で撮像された被写体像を表示する表示手段とを、を有するカメラに於いて、画面内の第１のポイントに存在する上記被写体の像に基づいてピント合わせを行うピント合わせ手段と、上記第１のポイントとは異なる画面内の第２のポイントに存在する上記被写体の像を拡大して上記表示手段に表示させる表示制御手段と、を具備することを特徴とする。
【００１５】
請求項７に記載の発明は、請求項６に記載の発明に於いて、上記表示制御手段は、上記第１のポイントのピント合わせ結果に従ってピント合わせが行われた後に上記第２のポイントに存在する被写体の像を表示することを特徴とする。
【００１６】
請求項８に記載の発明は、請求項６に記載の発明に於いて、上記第２のポイントは複数設定が可能であり、該複数の第２のポイントの中ら上記表示手段に表示する像に対応した第２のポイントを選択する選択手段を更に具備することを特徴とする。
【００１７】
請求項９に記載の発明は、請求項６に記載の発明に於いて、上記第１のポイントと上記第２のポイントの距離の差に基づく情報によってピント合わせ制御を行うピント合わせ手段を更に具備することを特徴とする。
【００１８】
請求項１０に記載の発明は、請求項６に記載の発明に於いて、上記表示制御手段は、上記ピント合わせ手段が撮影に先立ってピント制御する際に画面の第１の部分を拡大表示し、上記撮影後に上記第１の部分と異なる画面内の第２の部分を拡大表示することを特徴とする。
【００１９】
この発明は、デジタルカメラの有する電子的なモニタ手段を有効に活用しながら、撮影者が重要であると考えている部分に正確にピント合わせを行うことができるカメラを提供するものであり、ピント合わせ用の光信号を検出するエリアとピントを確認するためのエリアを別々に設定することが可能となっている。
【００２０】
また、別々に設定されたポイント間の関係に従って実際にピント合わせ制御を行う場合には、上記ピント合わせ用エリアからの情報を加工して、そのポイントにかかわらず、撮影者の想定した被写体の指定部位に正しくピント合わせを行うことができる。
【発明の効果】
【００２１】
この発明によれば、コストアップやスペースデメリットを生じることなく、ユーザが想定する部位に正しくピント合わせをすることができるカメラを提供することができる。
【発明を実施するための最良の形態】
【００２２】
以下、図面を参照してこの発明の実施形態を説明する。
【００２３】
（第１の実施形態）
初めに、この発明のカメラの概念を説明する。
【００２４】
図２に示されるように、カメラ１０で被写体２を撮影する場合、撮影者がピントを合わせたいポイント３と、カメラ１０がピント合わせ時の情報を検出するエリア４とは、必ずしも一致しない。これは、いわゆるマルチＡＦのカメラで画面１内の多くのポイントを測距できるようにしても、無数にポイントを増加させない限り、撮影者の構図に制約を加えたり微妙な要求に応えることができない。
【００２５】
デジタルカメラに於いては、情報を電気的な信号として扱うので、撮影前後の画像をモニタ１１上に表示することが簡単にできるが、このモニタ１１上にピントが重要な部分を拡大表示することもよく行われている。この発明は、このような機能をオートフォーカスの機能と結びつけ、より高速でわかりやすく操作することのできるカメラを提供しようとするものである。
【００２６】
図３に示されるように、カメラのモニタ１１の一部（または全部）を使用し、ピントを合わせたい部分を含む拡大部１１ａを拡大表示して、ピントの確認ができるようにした。また、モニタ１１に於いて上記拡大部１１ａより下方の表示部１１ｂに、全体像及び拡大部位を示す枠１１ｃの表示を同時に行ってもよい。
【００２７】
このようなモニタを見ながら、ユーザは自分の合わせたい領域に正しくピントが合っているかどうかを確認しながら撮影を続けることができる。
【００２８】
図１は、この発明の第１の実施形態として、このような機能を達成するためのカメラ内の電気系の構成例を示したブロック図である。
【００２９】
図１に示されるカメラ１０に於いて、被写体２に対し、撮影レンズ２３から入射された像は、撮像手段である撮像素子２４に入射される。そして、この撮像素子２４で光電変換されたアナログ的像信号は、Ａ／Ｄ変換器２５によってデジタル信号に変換される。この変換されたデジタル信号は、画像処理部２６によってγ変換や色調整に加えシャープネス等の処理が加えられ、圧縮されたデータとして記録部２７に記録される。
【００３０】
また、上述したモニタ１１は表示手段（モニタ手段）であり、撮影結果を表示することができるように、表示制御手段である表示制御部２８が設けられており、図３に示されるような分割表示、拡大表示や枠１１ｃの表示ができるようになっている。このような切り替えや拡大部１１ａや枠１１ｃの設定は、ポイント設定部３０によって設定される。この設定は、ユーザがスイッチ３７等を操作することによって、任意の位置に設定することができる。オートフォーカスのポイントを任意の位置に移動させるのは困難であるか、表示部はデジタル信号処理だけであるので、容易に切り替えが可能である。
【００３１】
一方、オートフォーカス部は、例えば視差Ｂだけ離間して配置された一対の受光レンズ１３ａ、１３ｂを介して、一対のセンサアレイ１４ａ、１４ｂ上に像信号が結像されるように、被写体２からの像が入射される。このオートフォーカス部では、結像された像信号が用いられて、その視差による像位置差ｘにより、被写体距離Ｌを求める方式が採用される。
【００３２】
このとき、受光レンズとセンサアレイ間の距離ｆと共に、Ｌ＝Ｂ・ｆ／ｘの関係によって、距離Ｌが求められる。但し、これらの値、Ｂ・ｆの設定が厳密であることが要求され、高精度な部品を高精度に組み立て上げる必要がある。つまり、上述した確認ポイント変更のように、単純には測距ポイントを変更することはできない。
【００３３】
センサアレイ１４ａ、１４ｂの出力は、Ａ／Ｄ変換器１５によってデジタル信号に変換される。上記２つのセンサアレイからの被写体２のデジタル像信号は、ここで比較される。そして、その位置量ｘがｘ算出部１７にて相関演算、補間演算等で求められると、この結果ｘより、Ｌ算出部１８によって、前述の式により被写体距離Ｌが求められる。
【００３４】
図中３６は、この距離に対してユーザが実際にピントを合わせたい部分の差値ΔＬを記録する記録部である。この結果と上述した距離Ｌに基づいて、ピント合わせ距離算出部１９にてレンズ駆動部（ＬＤ）２２を制御して撮影レンズのピント合わせが行われる。
【００３５】
尚、上述したｘ算出部１７、Ｌ算出部１８、ピント合わせ距離算出部１９及びポイント設定部３０は、一般にマイクロコントローラ（ＣＰＵ）３５によって構成されるもので、ピント合わせ手段として機能する。このマイクロコントローラ３５では、ユーザのスイッチ群３７の操作が検出され、各部の制御が行われて、そこから得られた情報等が演算処理されて制御にフィードバックされるようになっている。また、マイクロコントローラ３５とスイッチ群３７とで選択手段が構成されている。
【００３６】
図４は、このカメラの外観構成を示すもので、（ａ）は正面側を示した斜視図、（ｂ）は背面側を示した斜視図である。
【００３７】
このカメラ１０の正面側には、撮影レンズ２３や測距用の受光レンズ１３ａ、１３ｂが配置されている。また、上面部には、レリーズスイッチ３７ａが設けられている。このレリーズスイッチ３７ａは、２段式のスイッチで構成されるもので、半押し状態でファーストレリーズスイッチ（図示せず）がオンされ、全押し状態でセカンドレリーズスイッチ（図示せず）がオンされる。このタイミングで、ピント合わせ等が行われる。
【００３８】
一方、カメラ１０の背面側には、上述したモニタ１１に加え、ユーザが押した方向によってカーソルを動かす形式のスイッチ３７ｂが設けられている。このスイッチ３７ｂを操作することによって、ユーザが拡大したい部分を選択することができるようになっている。また、スイッチ３７ｃは、表示モードを切り替えるためのものである。
【００３９】
次に、図５及び図６のフローチャートを参照して、上述したＣＰＵ３５が制御するカメラ１０の撮影動作について説明する。
【００４０】
先ず、ステップＳ１にて、ファーストレリーズ（１ｓｔ）スイッチの状態が検出される。ここで、ファーストレリーズスイッチがオンされるとステップＳ２へ移行し、オンされなければステップＳ１９へ移行する。
【００４１】
ステップＳ２では、上述したオートフォーカス部によって、被写体距離Ｌが求められる。つまり、図２に示される例で言えば、画面中央部の人物の首の部分が測距されるが、図１に明らかなように、首と顔との間にはΔＬの差がある。ユーザがピント合わせをしたい部分は、首ではないので、ΔＬを考慮したピント制御が必要になる。このあたりが本発明の特徴となる。
【００４２】
つまり、ステップＳ３では、このΔＬが入力されているか否かが判定される。ここで、このΔＬが入力されていれば、ステップＳ５へ移行して、これを加味したピント合わせが行われる。一方、ΔＬ情報がない場合は、ステップＳ４に移行して、ΔＬが０にセットされた後、ステップＳ５にてΔＬが加味されずにピント合わせが行われる。
【００４３】
次いで、ステップＳ６に於いて、セカンドレリーズ（２ｎｄ）スイッチの状態が判定される。ここで、セカンドレリーズスイッチがオン状態であればステップＳ７へ移行し、セカンドレリーズスイッチがオフであればステップＳ１１へ移行する。
【００４４】
上記ステップＳ６にてセカンドレリーズスイッチがオンされていれば、ステップＳ７へ移行して、上述した撮像素子２４の出力を記録する一連の撮影動作がなされる。次いで、ステップＳ８に於いて、指定部の拡大表示（図３の１１ａ参照）が行われる。ユーザが指定部を変更したい場合には、スイッチ３７ｂ等を利用して変更する。このため、続くステップＳ９にて、指定部の変更の有無が判定される。そして、変更が無い場合はステップＳ１０をスキップし、変更がある場合はステップＳ１０へ移行して変更制御が行われる。その後、本シーケンスが終了する。
【００４５】
上記ステップＳ６に於いて、セカンドレリーズスイッチがオンされない場合にも、撮影に先立って、ユーザはピント状態を確認したいと考えられる。したがって、ステップＳ１１では指定部の拡大表示が行われる。その後、ステップＳ１２にてファーストレリーズスイッチの状態が判定される。
【００４６】
尚、ステップＳ１１の拡大表示の後、上述したステップＳ９、Ｓ１０と同様に変更制御の処理を行うようにしても良いが、ここではフローチャートの説明単純化のため省略している。
【００４７】
ステップＳ１２にて、ファーストレリーズスイッチがオンであれば、撮影が続行されているので上記ステップＳ６へ移行する。一方、ファーストレリーズスイッチがオフになっていると、撮影やり直しとなるため、ステップＳ１３へ移行する。そして、このステップＳ１３では、ΔＬの補正が必要か否かが判定される。
【００４８】
ここで、補正が必要なければ上記ステップＳ１へ移行する。しかし、現在のピントの状態がが気に入らず、ΔＬの補正が必要な場合は、ステップＳ１４へ移行してユーザによるスイッチ３７ｃ等の操作が判定される。すなわち、ステップＳ１４にて、現在よりも手前にピントを合わせるのか否かに応じて、それぞれのΔＬの入力動作に入る。
【００４９】
上記ΔＬは、１０ｃｍ，２０ｃｍ，…と適当に切り替えてもよいが、遠距離の被写体ではこの大きさは細かすぎ、近距離では粗すぎるので、上記ステップＳ２で求められた被写体距離Ｌを有効利用して、補正量ΔＬを切り替える方式にしている。また、手前にピントを合わせるか後に合わせるかも、ユーザの操作によって切り替えられるようにしてある。
【００５０】
この場合、スイッチ３７ｂの中央部を操作して、前側にピントを合わせる場合はステップＳ１５へ移行し、後ろ側にピントを合わせる場合はステップＳ１７へ移行する。そして、ステップＳ１５またはＳ１７にて、上記スイッチ３７ｂの中央部を押した回数ｎ等が入力される。すると、ステップＳ１６またはＳ１８にて、所定の式によって、微小量ｄずつ測距結果に対しΔＬだけ前後させた距離にピント合わせができるようにΔＬが算出される。
【００５１】
つまり、前側にピントを合わせる場合は、ステップＳ１６にて、Ｌ−（（１／Ｌ）＋ｄ×ｎ）-1が算出され、後ろ側にピントを合わせる場合は、ステップＳ１８にて、Ｌ−（（１／Ｌ）−ｄ×ｎ）-1が算出される。これは、距離の逆数１／Ｌに対して、各々、ｄ×ｎを補正して逆数をとるようにしているので、近距離では１／Ｌが大きいので大きく、遠距離では１／Ｌが小さいため、補正量を最適なものとすることができる。
【００５２】
こうして補正量ΔＬが得られた後は、上記ステップＳ１へ移行する。
【００５３】
また、上記ステップＳ１に於いて、ファーストレリーズスイッチがオンされていない場合は、ステップＳ１９にて、モニタ表示操作が判定される。ここで、モニタ表示操作がなされなければ上記ステップＳ１へ移行し、操作されれば、ステップＳ２０に移行して、ユーザによる領域指定処理が実行される。これは、ユーザのスイッチ３７ｂの操作状態に応じて、図２に３で示されたような、ユーザが拡大チェックしたい領域を指定または変更するものである。尚、このステップＳ２０では、ユーザがスイッチ等を操作して領域を指定しても良いが、所定の画像認識プログラムに従って目の部分を検出し、この検出結果に基づいて領域を指定するようにしても良い。
【００５４】
次に、ステップＳ２１に於いて、領域の指定の有無が判定される。ここで、指定なしの場合は、ステップＳ２２へ移行して画面中央部が選択される。一方、ステップＳ２１にて指定有りの場合はステップＳ２２をスキップする。
【００５５】
更に、ステップＳ２３では、拡大操作がなされたか否かが判定される。ここで、拡大操作がなされたならば、ステップＳ２４へ移行して、ＣＰＵ３５により表示制御部２８が制御されてモニタ１１に選択部分が拡大表示される。このステップＳ２４の拡大表示が終了した後、または上記ステップＳ２３で拡大操作がなされない場合は、上記ステップＳ１へ移行する。
【００５６】
以上説明したように、本実施形態によれば、ユーザが重要と思う部分を簡単に確認することができ、被写体距離Ｌに従って補正量ΔＬを変更したので、ピントを微調整しながら撮影する場合に、最適な補正量にて切り替えを行うことができる。
【００５７】
（第２の実施形態）
次に、この発明の第２の実施形態を説明する。
【００５８】
図７は、この発明の第２の実施形態に係るカメラの電気系の構成例を示すブロック図である。
【００５９】
尚、この第２の実施形態に於けるカメラの構成等については、図１に示されたものと同一の部分に同一の参照番号を付して、その図示及び説明は省略する。
【００６０】
この第２の実施形態では、この発明が、いわゆる一眼レフレックス（ＳＬＲ）タイプのカメラにも応用可能であることを示すために、ＳＬＲタイプのものを前提として説明する。
【００６１】
図７に於いて、撮影レンズ２３を介して得られた被写体５の像は、メインミラー４１によって図示上方に折り返されて、フォーカシングスクリーン４２に撮影される。更に、このフォーカシングスクリーン４２上に導かれた像は、ペンタプリズム４３及び接眼レンズ４４を経て、ユーザの眼４５ａにより観察が可能となる。また、ペンタプリズム４３の近傍には、レンズ４７を介して第２の撮像素子４８が配置されており、この撮像素子４８で得られた信号に対応した画像が、表示制御部２８を介してカメラ背面に配置されたモニタ（ＬＣＤモニタ）１１に表示可能となる。
【００６２】
上記メインミラー４１の一部は半透過となっており、被写体５からの像は、このメインミラー４１の後方に取り付けられたサブミラー５０によって、図示下方に折り返されて、ＡＦ光学系５１及びＡＦセンサ５２に導かれる。ＣＰＵ３５に含まれるピント制御部３５ａは、上記ＡＦセンサ５２の出力と、撮影レンズ２３の位置を検出するレンズ位置センサ５５の出力に基づいて、レンズ駆動部２２を介して撮影レンズ２３を駆動する。
【００６３】
また、上記メインミラー４１は、ミラー制御部５９によって通常位置と退避位置とに回動自在に設けられている。ここで、通常位置とは、被写体５の観察時であって、撮影レンズ２３の後方の光路内に設定された位置である。また、退避位置とは、撮影時であって、上記光路より退避された位置である。メインミラー４１が退避位置にあるとき、撮影レンズ２３を通過した像は、シャッタ制御部６０で制御により開閉されるフォーカルプレーンシャッタ５７を介して、第１の撮像素子２４上に結像される。
【００６４】
尚、操作部６１は、撮影レンズ２３をマニュアル操作によりピント合わせするためのものである。
【００６５】
このような構成のカメラ４０に於いて、被写体の観察時は、撮影レンズ２３を介して得られた被写体像が、通常位置に配置されるメインミラー４１によって、図示上方に折り返されてフォーカシングスクリーン４２に撮影される。このフォーカシングスクリーン４２上に像がピントが合った場合には、メインミラー４１が退避位置に移動されてフォーカルプレーンシャッタ５７が開いた時に、撮像素子２４にピントが合った状態となる。したがって、ペンタプリズム４３及び接眼レンズ４４によってこの像を観察すれば、操作部６１による撮影レンズ２３のピント合わせ操作によって、ピント合わせを行うことができる。
【００６６】
また補助的に、上記フォーカシングスクリーン４２の中央部は、レンズ４７を介して第２の撮像素子４８によってモニタされている。この第２間撮像素子４８によりモニタされた像は、表示制御部２８を介してＬＣＤモニタ１１に表示可能である。
【００６７】
上記撮影レンズ２３の操作状態は、レンズ位置センサ５５によって判定可能であり、ユーザがどの距離のものにピント合わせしたかが検出できるようになっている。
【００６８】
また、メインミラー４１を透過した被写体５の像の一部は、サブミラー５０によってＡＦ光学系５１及びＡＦセンサ５２に導かれる。この信号を利用して、ピント制御部３５ａによってレンズ駆動部２２が制御されれば、撮影レンズ２３が位置制御されて、オートフォーカスによる撮影も可能となる。
【００６９】
このオートフォーカス方式は、撮影レンズ２３の異なる部分を通った光の位置によって、被写体５のピント状態を判定する位相差検出方式を前提としている。つまり、レンズ位置センサ５５の出力とＡＦセンサ５２に入射された被写体像の状態より、被写体距離を算出することができる。
【００７０】
ＣＰＵ３５では、スイッチ群３７の操作状態より、これらのＡＦ系や表示系、カメラの撮影シーケンスが制御される。そして、撮影時には、ミラー制御部５９、シャッタ制御部６０が制御されて、メインミラー４１の光路からの退避や、フォーカルプレーンシャッタ５７の開閉が行われる。このとき、露出制御は、第２の撮像素子４８の出力に従って行われるようにする。
【００７１】
撮影時、第１の撮像素子２４に入射された像は、電気的な電圧変化となるので、これは、Ａ／Ｄ変換器２５によってデジタル化され、画像処理部２６に入力される。この結果は、記録部２７や表示制御部２８に供給される。つまり、表示用のモニタ１１には、この撮像結果と第２の撮像素子４８の出力が共に、または選択的に表示可能となっている。
【００７２】
このようなカメラ４０では、オートフォーカスでは十分カバーできない微妙なピント制御は、いわゆるマニュアルフォーカスによって、ピント合わせを行うようにすればよい。その場合は、接眼レンズ４４を含むファインダや第２の撮像素子４８の出力をモニタ１１上で確認しながら、操作部６１を操作すればよい。
【００７３】
接眼レンズ４４を覗く光学的なファインダによるピント合わせでは、ユーザの視力の要因等によりピント合わせに自信のない人は、図８に示されるように、カメラ背面に設けられたモニタ１１を確認しながらピント合わせを行うようにすればよい。これは、図９に示されるような被写体５に対して、図１０（ａ）に示されるような表示として、画面中央をモニタする第２の撮像素子４８の出力が、モニタ１１の拡大部１１ａの部分に拡大表示される。これによって、視力に自信のないユーザでも、ピントの状態をはっきり見ることができる。
【００７４】
尚、モニタ１１上の他の部分には、上述したように、撮影後の全体画像を表示する表示部１１ｂが設けられている。つまり、図９に示されるように、フォーカシング時には、撮影画面に相当する領域は６５ａの範囲となり、この状態でユーザによるピント合わせが行われる。この後、フレーミングがし直されてユーザの好みの構図にされ、例えば図示矢印Ａ方向に移動された撮影時範囲６５ｂの状態にされて、図示されないレリーズ釦が押し込まれて撮影が行われる。但し、この状態では、撮像素子４８で拡大表示される部分は、図中６７で示される被写体の肩の部分になってしまうので、画面中心の同じ部分を拡大しても、ユーザは重要部分のピントの確認を行うことができない。
【００７５】
この発明では、これを対策するために、撮影後は、モニタ１１上に、図１０（ｂ）に示されるような表示が行われる。これは、表示部１１ｂに表示されている撮影画像の顔の部分を拡大部位を示す枠１１ｃとして捉え、この枠１１ｃ内の画像を拡大部１１ａに拡大して表示したものであり、必ずしも画面の中央部分ではない。
【００７６】
以下、モニタ１１の拡大部１１ａに適切な画像を表示するための動作について、図１１のフローチャートを参照して説明する。
【００７７】
先ず、ステップＳ３１にて、撮影後拡大するべき枠１１ｃの部分が設定され、続くステップＳ３２に於いて、設定が終了したか否かが判定される。ここで、設定が終了するまで上記ステップＳ３１及びＳ３２の処理が繰り返される。この設定が終了すると、ステップＳ３３に移行して、図１０（ａ）に示されるような表示がモニタ１１上になされる。つまり、第２の撮像素子４８の出力が用いられて、画面内中央部の像が拡大表示される。これによって、ユーザはマニュアルフォーカスの操作がしやすくなる。
【００７８】
ステップＳ３４では、撮影レンズ２３のピント制御が行われる。上述したように、この時、ＣＰＵ３５では、どの距離にピント制御されたかが判定できるようになっている。この結果がＬ1 とされる。この後、ユーザにより構図変更が行われる。
【００７９】
そして、ステップＳ３５に於いて、図示されないレリーズ釦が操作されるとステップＳ３６以降の撮影シーケンスが行われるが、レリーズ釦が操作されない場合は上記ステップＳ３４へ移行する。
【００８０】
撮影シーケンスに移行すると、ステップＳ３６にて、位相差検出が行われる。これは、ミラーアップ前に上述した位相差ＡＦのＡＦセンサ５２によって、ピントのズレ具合から、図９に示される人物（被写体）５の肩までの距離がわかるので、これがＬ2 とされる。尚、ここでは説明を単純化するために距離での表現をしているが、実際には距離の逆数でもよい。
【００８１】
その後、ステップＳ３７でメインミラー４１の退避位置への移動（ミラーＵＰ）がなされ、更にステップＳ３８でシャッタ制御部５９によるフォーカルプレーンシャッタ５７の開閉が制御される。そして、ステップＳ３９で第１の撮像素子２４への被写体像の取り込み（撮影）が行われると、続くステップＳ４０にてメインミラー４１の通常位置への移動（ミラーｄｏｗｎ）が行われて、撮影が完了する。
【００８２】
この後は、ユーザの興味は、撮影された画像のピントが正しかったか否かの確認に移るので、ステップＳ４１では、上述したステップＳ３１にて指定された部位の拡大表示が行われる（図１０（ｂ）参照）。
【００８３】
そして、次の撮影では、これまでの結果が加味される。つまり、ステップＳ４２に於いて、また撮影操作がなされたか否かが判定される。その結果、撮影操作がなされると、ステップＳ４４に移行して、位相差検出により距離Ｌ3 が求められる。但し、この時は、もうマニュアルフォーカスによるピントの微調整は必要なく、上述した被写体５の顔と肩の距離（Ｌ1 ，Ｌ2 ）の差が考慮される。したがって、続くステップＳ４５及びＳ４６にて、ピント合わせ制御が行われれば、図９に示されるような、撮影時のフレーミングのままでも、カメラにより、自動的に肩までの距離から顔までの距離が換算されて、ピント補正が行われる。
【００８４】
また、上記ステップＳ４２に於いて、撮影前と判定されたならば、ステップＳ４３へ移行してにマニュアルフォーカスの操作であるか否かが判定される。ここで、マニュアルフォーカスでない場合は上記ステップＳ４２へ移行する。一方、マニュアルフォーカスの操作が入れば、上記ステップＳ３３に移行して、再度ピント合わせ用の画面中央部拡大表示が行われるようにする。
【００８５】
すなわち、撮影後拡大するべき部分を設定しておき、撮影後には撮影画面のうち、枠１１ｃの部分を拡大部１１ａに拡大表示することができるようにした点が、本実施形態の特徴となっている。
【００８６】
このように、第２の実施形態によれば、一眼レフタイプのカメラに於いても、撮影前後でモニタ上に拡大する画像を切り替えるようにしたので、微妙なピント合わせがしやすく撮影画面のピント確認を行いやすい技術を応用することができ、失敗のない写真撮影わすることができる。
【００８７】
（第３の実施形態）
次に、この発明の第３の実施形態について説明する。
【００８８】
上述した第２の実施形態では、図８に示されるように、ユーザは頻繁にファインダやモニタをチェックする必要があったが、第３の実施形態ではこのチェックの回数を減らすようにしている。
【００８９】
尚、この第３の実施形態に於けるカメラの構成等については、上述した第１及び第２の実施形態と同じであり、図１に示されたものと同一の部分に同一の参照番号を付してその図示及び説明は省略する。
【００９０】
以下、図１２乃至図１４のフローチャートを参照して、この発明の第３の実施形態に係るカメラの撮影動作について説明する。
【００９１】
先ず、ステップＳ５１にて、後述するステップＳ５９で比較される所定回数ｎに０がセットされる。次いで、ステップＳ５２にてマニュアルフォーカス操作が行われる。そして、ステップＳ５３に於いて、例えばカメラに設けられた専用のスイッチが操作されることにより、ピントのチェックが行われる。このチェックが終了するまで、上記ステップＳ７２及びＳ７３が繰り返される。そして、チェックが終了したならば、ステップＳ５４へ移行する。
【００９２】
ステップＳ５４ではｎがインクリメントされ、続くステップＳ５５では被写体までの距離が入力される。次いで、ステップＳ５６にて第２の撮像素子４８を作動させ、更にステップＳ５７にて該撮像素子４８により得られる拡大画像がモニタ１１上に表示される。
【００９３】
そして、ステップＳ５８に於いて、ピントチェックが終了したか否かが判定される。ここで、終了していればステップＳ６１へ移行し、終了していなければステップＳ５９へ移行する。ステップＳ５９では、使用されるピント位置の数が所定数に到達したか否かが判定される。ここで、到達していなければ、上記ステップＳ５２へ移行して、以降の処理が繰り返される。一方、所定回数に到達したならば、ステップＳ６０に移行して、その旨が警告される。
【００９４】
ステップＳ６１では、上記所定回数分蓄積された撮像結果と共に、その時のピント位置（距離）がモニタ１１上に表示される。これにより、ユーザは迷うことなくピント合わせを行うことが可能となる。そして、ユーザはモニタ１１を見ながら、最も適切なピント位置を決めて、ステップＳ６２の撮影の判定に移行する。このステップＳ６２に於いて、撮影に入らない場合は上記ステップＳ１へ移行し、撮影に入るとステップＳ６３以降の撮影シーケンスに入る。
【００９５】
尚、ステップＳ６３〜Ｓ８６の各処理動作は、上述した図５及び図６のフローチャートに於けるステップＳ１〜Ｓ２４と同じであるので、これらの処理を参照するものとしてここでの説明は省略する。
【００９６】
このような工夫により、マニュアルフォーカスしかできないレンズでも簡単に精度良くピント合わせのできるカメラを提供することができる。
【図面の簡単な説明】
【００９７】
【図１】この発明の第１の実施形態に係るカメラの電気系の構成例を示したブロック図である。
【図２】この発明のカメラの概念を説明する図である。
【図３】図２の画面に対するカメラのモニタ表示の例を示した図である。
【図４】第１の実施形態に於けるカメラの外観構成を示すもので、（ａ）は正面側を示した斜視図、（ｂ）は背面側を示した斜視図である。
【図５】第１の実施形態に於けるカメラの撮影動作を説明するフローチャートである。
【図６】第１の実施形態に於けるカメラの撮影動作を説明するフローチャートである。
【図７】この発明の第２の実施形態に係るカメラの電気系の構成例を示すブロック図である。
【図８】カメラのモニタを確認しながらピント合わせを行う場合の例を示した図である。
【図９】フォーカシング時と撮影時の撮影画面に相当する範囲の例を示した図である。
【図１０】第２の実施形態に於けるモニタの表示例を示した図である。
【図１１】モニタの拡大部に適切な画像を表示するための動作について説明するフローチャートである。
【図１２】この発明の第３の実施形態に係るカメラの撮影動作について説明するフローチャートである。
【図１３】この発明の第３の実施形態に係るカメラの撮影動作について説明するフローチャートである。
【図１４】この発明の第３の実施形態に係るカメラの撮影動作について説明するフローチャートである。
【図１５】モニタに表示される複数のピント位置に対する像の例を示した図である。
【符号の説明】
【００９８】
２、５…被写体、１０…カメラ、１１…モニタ、１１ａ…拡大部、１１ｂ…表示部、１１ｃ…枠、１３ａ、１３ｂ…受光レンズ、１４ａ、１４ｂ…センサアレイ、１５、２５…Ａ／Ｄ変換器、１７…ｘ算出部、１８…Ｌ算出部、１９…ピント合わせ距離算出部、２２…レンズ駆動部（ＬＤ）、２３…撮影レンズ、２４…撮像素子（第１の撮像素子）、２６…画像処理部、２７、３６…記録部、２８…表示制御部、３０…ポイント設定部、３５…マイクロコントローラ（ＣＰＵ）、３７…スイッチ群。
【図１】
2005142660.tif 000003
【図２】
2005142660.tif 000004
【図３】
2005142660.tif 000005
【図４】
2005142660.tif 000006
【図５】
2005142660.tif 000007
【図６】
2005142660.tif 000008
【図７】
2005142660.tif 000009
【図８】
2005142660.tif 000010
【図９】
2005142660.tif 000011
【図１０】
2005142660.tif 000012
【図１１】
2005142660.tif 000013
【図１２】
2005142660.tif 000014
【図１３】
2005142660.tif 000015
【図１４】
2005142660.tif 000016
【図１５】
2005142660.tif 000017